(57)【要約】【課題】ディスクを交換したとき、再生の指示を入力するのみで、前回の続きを自動で再生させる。【解決手段】しおり書読手段３は、磁気ヘッド１１を用いて、遅くともディスク２１が取り出される前には自動で磁気記録媒体３１にしおり情報を書き込み、ディスク２１が交換されたときには遅くとも再生が開始される前に磁気記録媒体３１からしおり情報を読み出す。しおり再生手段１５は、ディスク２１が交換された後、最初の再生の指示が入力されたときには、しおり書読手段３によって読み出されたしおり情報に基づいた位置から再生を行う。【選択図】  図１
2006054029.tif 000002
【特許請求の範囲】
【請求項１】
再生位置に収納されたディスクに記録されたコンテンツを再生するディスク再生手段と、
ディスクの最新の再生終了位置を示すしおり情報を所定の記録媒体に書き込むとともに、前記所定の記録媒体に書き込んだしおり情報を読み出すしおり書読手段と、
しおり情報に基づいた再生を行うしおり再生手段とを備えたディスク装置において、
しおり情報には、再生終了位置が取得された日である最終再生日を示す情報が含まれるとともに、プログラム再生の順序が登録されているときにはプログラム再生の順序を示す情報が含まれ、
前記所定の記録媒体を、ディスクと同心にディスクに貼付され、磁性体が塗布されたリング状のシートからなる磁気記録媒体とし、
しおり書読手段は、磁気記録媒体へのしおり情報の書き込みと磁気記録媒体からのしおり情報の読み出しとを行う磁気ヘッドを備えるとともに、遅くともディスクが取り出される前には自動で磁気記録媒体にしおり情報を書き込み、ディスクが交換されたときには遅くとも再生が開始される前に磁気記録媒体からしおり情報を読み出し、
しおり再生手段は、ディスクが交換された後、最初の再生の指示が入力されたときには、しおり書読手段によって読み出されたしおり情報が示す再生終了位置より前方の位置である前方変移位置から再生を行い、
しおり情報が示す再生終了位置から前方変移位置までの変移量は、予め設定された複数の値のうちからユーザによって選択された値とし、
しおり情報に含まれる最終再生日から、しおり情報が読み出された日までの経過日数が多くなるのに対応して前記変移量を大きくし、
しおり情報にプログラム再生の順序を示す情報が含まれていないときにはコンテンツが示す順序に従って再生を行い、しおり情報にプログラム再生の順序を示す情報が含まれているときにはプログラム再生の順序に従って再生を行うとともに前記変移量を０とすることを特徴とするディスク装置。
【請求項２】
再生位置に収納されたディスクに記録されたコンテンツを再生するディスク再生手段と、
ディスクの最新の再生終了位置を示すしおり情報を所定の記録媒体に書き込むとともに、前記所定の記録媒体に書き込んだしおり情報を読み出すしおり書読手段と、
しおり情報に基づいた再生を行うしおり再生手段とを備えたディスク装置において、
前記所定の記録媒体をディスクに設けられた磁気記録媒体とし、
しおり書読手段は、磁気記録媒体へのしおり情報の書き込みと磁気記録媒体からのしおり情報の読み出しとを行う磁気ヘッドを備えるとともに、遅くともディスクが取り出される前には自動で磁気記録媒体にしおり情報を書き込み、ディスクが交換されたときには遅くとも再生が開始される前に磁気記録媒体からしおり情報を読み出し、
しおり再生手段は、ディスクが交換された後、最初の再生の指示が入力されたときには、しおり書読手段によって読み出されたしおり情報に基づいた位置から再生を行うことを特徴とするディスク装置。
【請求項３】
磁気記録媒体は、ディスクと同心にディスクに貼付され、磁性体が塗布されたリング状のシートであることを特徴とする請求項２に記載のディスク装置。
【請求項４】
記録再生位置に収納されたディスクにコンテンツを記録するとともに、前記ディスクに記録されたをコンテンツを再生するディスク記録再生手段と、
ディスクの最新の再生終了位置を示すしおり情報を所定の記録媒体に書き込むとともに、前記所定の記録媒体に書き込んだしおり情報を読み出すしおり書読手段と、
しおり情報に基づいた再生を行うしおり再生手段とを備えたディスク装置において、
前記所定の記録媒体を記録再生位置に収納された書き換え可能なディスクとし、
しおり書読手段は、遅くともディスクが取り出される前には前記ディスクにおけるデータの書き換えが可能なエリアに確保されたしおり情報エリアに自動でしおり情報を書き込み、ディスクが交換されたときには遅くとも再生が開始される前にしおり情報エリアからしおり情報を読み出し、
しおり再生手段は、ディスクが交換された後、最初の再生の指示が入力されたときには、しおり書読手段によって読み出されたしおり情報に基づいた位置から再生を行うことを特徴とするディスク装置。
【請求項５】
しおり情報に基づいた位置は、しおり情報が示す再生終了位置より前方の位置である前方変移位置であることを特徴とする請求項２から請求項４までのいずれかに記載のディスク装置。
【請求項６】
しおり情報が示す再生終了位置から前方変移位置までの変移量は、予め設定された複数の値のうちからユーザによって選択された値としたことを特徴とする請求項５に記載のディスク装置。
【請求項７】
しおり情報には再生終了位置が取得された日である最終再生日を示す情報が含まれ、
しおり情報に含まれる最終再生日から、しおり情報が読み出された日までの経過日数が多くなるのに対応して前記変移量を大きくすることを特徴とする請求項５または請求項６に記載のディスク装置。
【発明の詳細な説明】
【技術分野】
【０００１】
本発明は、ディスクの最新の再生終了位置を示すしおり情報を所定の記録媒体に書き込むとともに、ディスクが交換された後、最初の再生の指示が入力されたときには、所定の記録媒体に書き込まれたしおり情報に基づいた位置から再生を行うディスク装置に関するものである。
【背景技術】
【０００２】
ビデオコンテンツが記録されたＤＶＤを再生するような場合、何時間も連続して見続けるようなことは、ビデオコンテンツが映画である場合を除くと、まれである。従って、多くの場合には、途中まで再生した後、しばらく日時が経過した時に、続きを見ることになる。このような場合でも、ＤＶＤを取り出さないときでは、前回の再生の最終位置が内部に記憶されているので、簡単に続きを見ることができる。しかし、ＤＶＤを取り出してケースに収納した場合では、前回の再生の最終位置を示す情報が失われるので、続きを見るには、前回に見た最後の箇所を見つける必要があった。
【０００３】
このような問題を解決するため、以下に示す技術が提案されている（第１の従来技術とする）。すなわち、この技術では、コンテンツを再生しているときに、しおり追加ボタンを操作すると、再生中のコンテンツを示すコンテンツ識別ＩＤと、このときの再生位置を示す情報である再生開始位置とからなるしおり情報データが生成されるようになっている。また、生成されたしおり情報データは、再生中のコンテンツを記録したストレージに記録されるようになっており、ストレージは、磁気ハードディスク、あるいは、記録可能なＤＶＤであることが開示されている。そして、複数のしおり情報データを画面に表示させた状態において、所望のしおり情報データを選択した後、決定ボタンを押下すると、選択したしおり情報データに対応するコンテンツの、再生開始位置により示される位置から再生が開始されるようになっている（例えば、特許文献１参照）。
【０００４】
また、電源オンしたときに、前回の電源オフ時の表示状態に復帰することを可能にする技術が提案されている（第２の従来技術とする）。すなわち、この技術では、電源をオフするときには、オフ時の画面の表示内容を記録している。そして、電源がオンされたとき、装着されているＣＤ−ＲＯＭが、特定のディスクであるかどうかを判別している。すなわち、前回に電源オフしたときに装着されていたディスクと同じディスクであるかどうかを判別している。そして、同じディスクであると判別したときには、前回の電源オフ時の表示内容が読み出されて、表示されるようになっている（例えば、特許文献２参照）。
【特許文献１】特開２００２−４４５８６号公報（第００３２段落、第００４７−００５１段落、第００６５−００６８段落）
【特許文献２】特開平９−１６７４７２号公報
【発明の開示】
【発明が解決しようとする課題】
【０００５】
しかしながら、第１の従来技術を用いる場合には以下に示す問題を生じていた。すなわち、再生位置を記録させるにはしおり追加ボタンを操作する必要があって、この操作を忘れたときには、再生位置が記録されない。従って、再生の最終位置が記録されない事態がしばしば生じる。また、複数のしおり情報データを画面に表示させた状態において、所望のしおり情報データを選択した後、決定ボタンを押下する必要がある。このため、再生を開始させるときの操作が煩わしいものとなる。
【０００６】
第２の従来技術は、前回に電源オフしたときと同じディスクを装着したときにのみ有効となるに過ぎない。従って、その他のＤＶＤを再生したような場合では、前回の画面が表示されないことになる。つまり、ＤＶＤを任意のタイミングにおいて再生する場合では、適用することが困難な技術となっている。
【０００７】
本発明は、上記の問題点を解決するため創案されたものであり、その目的は、ディスクを交換したとき、再生の指示を入力するのみで、前回の続きを自動で再生させることのでき、且つ、市販の書き換え可能な光ディスクを用いることのでき、且つ、前回に見た分と今回に見る分とのつながりの把握を容易にすることのでき、且つ、前回に見た分と今回に見る分との重なり具合をユーザの好みに合わせることのでき、且つ、前回見たときからの経過時間が短いときと長いときとの双方において、前回に見た分と今回に見る分とのつながり具合を快適なものとすることのでき、且つ、プログラム再生を行っていた場合には、その再生の順序を再現することのできるディスク装置を提供することにある。
【０００８】
また本発明の目的は、最後に再生を停止したときの再生位置を示すしおり情報を、ディスクに設けられた磁気記録媒体に書き込むことにより、ディスクを交換したとき、再生の指示を入力するのみで、前回の続きを自動で再生させることのできるディスク装置を提供することにある。
【０００９】
また、上記目的に加え、しおり情報を書き込む記録媒体を、ディスクと同心にディスクに貼付され、磁性体が塗布されたリング状のシートとすることにより、市販の書き換え可能な光ディスクを用いることのできるディスク装置を提供することにある。
【００１０】
また本発明の目的は、最後に再生を停止したときの再生位置を示すしおり情報を、ディスクの書き換え可能なエリアに書き込むことにより、ディスクを交換したとき、再生の指示を入力するのみで、前回の続きを自動で再生させることのできるディスク装置を提供することにある。
【００１１】
また、上記目的に加え、前回の停止位置より少し前に変移した位置から再生を行うことにより、前回に見た分と今回に見る分とのつながりの把握を容易にすることのできるディスク装置を提供することにある。
【００１２】
また、少し前に変移する変移量をユーザによって選択可能にすることにより、前回に見た分における最後の部分と今回に見る分における先頭の部分との重なり具合をユーザの好みに合わせることのできるディスク装置を提供することにある。
【００１３】
また、上記目的に加え、前回に見たときからの経過日数が多くなるほどに、変移量を多くすることにより、前回に見たときからの経過時間が短いときと長いときとの双方において、前回に見た分と今回に見る分とのつながり具合を快適なものとすることのできるディスク装置を提供することにある。
【課題を解決するための手段】
【００１４】
上記の課題を解決するため、本発明に係るディスク装置は、再生位置に収納されたディスクに記録されたコンテンツを再生するディスク再生手段と、ディスクの最新の再生終了位置を示すしおり情報を所定の記録媒体に書き込むとともに、前記所定の記録媒体に書き込んだしおり情報を読み出すしおり書読手段と、しおり情報に基づいた再生を行うしおり再生手段とを備えたディスク装置に適用している。そして、しおり情報には、再生終了位置が取得された日である最終再生日を示す情報が含まれるとともに、プログラム再生の順序が登録されているときにはプログラム再生の順序を示す情報が含まれ、前記所定の記録媒体を、ディスクと同心にディスクに貼付され、磁性体が塗布されたリング状のシートからなる磁気記録媒体とし、しおり書読手段は、磁気記録媒体へのしおり情報の書き込みと磁気記録媒体からのしおり情報の読み出しとを行う磁気ヘッドを備えるとともに、遅くともディスクが取り出される前には自動で磁気記録媒体にしおり情報を書き込み、ディスクが交換されたときには遅くとも再生が開始される前に磁気記録媒体からしおり情報を読み出し、しおり再生手段は、ディスクが交換された後、最初の再生の指示が入力されたときには、しおり書読手段によって読み出されたしおり情報が示す再生終了位置より前方の位置である前方変移位置から再生を行い、しおり情報が示す再生終了位置から前方変移位置までの変移量は、予め設定された複数の値のうちからユーザによって選択された値とし、しおり情報に含まれる最終再生日から、しおり情報が読み出された日までの経過日数が多くなるのに対応して前記変移量を大きくし、しおり情報にプログラム再生の順序を示す情報が含まれていないときにはコンテンツが示す順序に従って再生を行い、しおり情報にプログラム再生の順序を示す情報が含まれているときにはプログラム再生の順序に従って再生を行うとともに前記変移量を０とするようになっている。
【００１５】
すなわち、ディスクを取り出したときには、ディスクには、最後に再生を停止したときの位置（再生終了位置）を示すしおり情報が書き込まれている。このため、その後において、このディスクをトレイに載置して再生を指示すると、しおり情報が読み取られ、しおり情報が示す再生終了位置に基づいた位置から再生が行われる。つまり、前回に再生を停止した位置に基づいて再生が行われる。且つ、通常に広く提供されている光ディスクに、磁気記録媒体であるシートを貼付することで、光ディスクはしおり情報の書き込みと読み出しとが可能なディスクとなる。且つ、前回に再生を停止した位置より前の位置から再生が行われる。且つ、前回に見た分における最後の部分と今回に見る分における先頭の部分との重なり具合を、ユーザは複数の選択肢から選択することができる。且つ、前回に見たときからの経過日数が多くなるほど、前回に見た分における最後の部分と今回に見る分における先頭の部分との重なり具合が長くなる。且つ、プログラム再生を行っていた場合には、その再生の順序が再現される。
【００１６】
また、本発明に係るディスク装置は、再生位置に収納されたディスクに記録されたコンテンツを再生するディスク再生手段と、ディスクの最新の再生終了位置を示すしおり情報を所定の記録媒体に書き込むとともに、前記所定の記録媒体に書き込んだしおり情報を読み出すしおり書読手段と、しおり情報に基づいた再生を行うしおり再生手段とを備えたディスク装置に適用している。そして、前記所定の記録媒体をディスクに設けられた磁気記録媒体とし、しおり書読手段は、磁気記録媒体へのしおり情報の書き込みと磁気記録媒体からのしおり情報の読み出しとを行う磁気ヘッドを備えるとともに、遅くともディスクが取り出される前には自動で磁気記録媒体にしおり情報を書き込み、ディスクが交換されたときには遅くとも再生が開始される前に磁気記録媒体からしおり情報を読み出し、しおり再生手段は、ディスクが交換された後、最初の再生の指示が入力されたときには、しおり書読手段によって読み出されたしおり情報に基づいた位置から再生を行うようになっている。
【００１７】
すなわち、ディスクを取り出したときには、ディスクには、最後に再生を停止したときの位置（再生終了位置）を示すしおり情報が書き込まれている。このため、その後において、このディスクをトレイに載置して再生を指示すると、しおり情報が読み取られ、しおり情報が示す再生終了位置に基づいた位置から再生が行われる。つまり、前回に再生を停止した位置に基づいて再生が行われる。
【００１８】
また、上記構成に加え、磁気記録媒体は、ディスクと同心にディスクに貼付され、磁性体が塗布されたリング状のシートとなっている。すなわち、通常に広く提供されている光ディスクに、磁気記録媒体であるシートを貼付することで、光ディスクは、しおり情報の書き込みと読み出しとが可能なディスクとなる。
【００１９】
また、本発明に係るディスク装置は、記録再生位置に収納されたディスクにコンテンツを記録するとともに、ディスクに記録されたをコンテンツを再生するディスク記録再生手段と、ディスクの最新の再生終了位置を示すしおり情報を所定の記録媒体に書き込むとともに、前記所定の記録媒体に書き込んだしおり情報を読み出すしおり書読手段と、しおり情報に基づいた再生を行うしおり再生手段とを備えたディスク装置に適用している。そして、前記所定の記録媒体を記録再生位置に収納された書き換え可能なディスクとし、しおり書読手段は、遅くともディスクが取り出される前には前記ディスクにおけるデータの書き換えが可能なエリアに確保されたしおり情報エリアに自動でしおり情報を書き込み、ディスクが交換されたときには遅くとも再生が開始される前にしおり情報エリアからしおり情報を読み出し、しおり再生手段は、ディスクが交換された後、最初の再生の指示が入力されたときには、しおり書読手段によって読み出されたしおり情報に基づいた位置から再生を行うようになっている。
【００２０】
すなわち、ディスクを取り出したときには、ディスクには、最後に再生を停止したときの位置（再生終了位置）を示すしおり情報が書き込まれている。このため、その後において、このディスクをトレイに載置して再生を指示すると、しおり情報が読み取られ、しおり情報が示す再生終了位置に基づいた位置から再生が行われる。つまり、前回に再生を停止した位置に基づいて再生が行われる。
【００２１】
また、上記構成に加え、しおり情報に基づいた位置は、しおり情報が示す再生終了位置より前方の位置である前方変移位置となっている。すなわち、前回に再生を停止した位置より前の位置から再生が行われる。
【００２２】
また、上記構成に加え、しおり情報が示す再生終了位置から前方変移位置までの変移量は、予め設定された複数の値のうちからユーザによって選択された値としている。すなわち、前回に見た分における最後の部分と今回に見る分における先頭の部分との重なり具合を、ユーザは複数の選択肢から選択することができる。
【００２３】
また、上記構成に加え、しおり情報には再生終了位置が取得された日である最終再生日を示す情報が含まれ、しおり情報に含まれる最終再生日から、しおり情報が読み出された日までの経過日数が多くなるのに対応して前記変移量を大きくしている。すなわち、前回に見たときからの経過日数が多くなるほど、前回に見た分における最後の部分と今回に見る分における先頭の部分との重なり具合が長くなる。
【発明の効果】
【００２４】
本発明によれば、取り出されたディスクには再生終了位置を示すしおり情報が書き込まれている。そのため、このディスクをトレイに載置して再生を指示すると、前回に再生を停止した位置に基づいて再生が行われる。且つ、通常に広く提供されている光ディスクに、磁気記録媒体であるシートを貼付することで、光ディスクはしおり情報の書き込みと読み出しとが可能なディスクとなる。且つ、前回に再生を停止した位置より前の位置から再生が行われるとともに、前回に見た分における最後の部分と今回に見る分における先頭の部分との重なり具合を、ユーザは複数の選択肢から選択することができ、且つ、前回に見たときからの経過日数が多くなるほど、前回に見た分における最後の部分と今回に見る分における先頭の部分との重なり具合が長くなる。且つ、プログラム再生を行っていた場合には、その再生の順序が再現される。このため、ディスクを交換したとき、再生の指示を入力するのみで前回の続きを自動で再生させることができ、且つ、市販の書き換え可能な光ディスクを用いることができ、且つ、前回に見た分と今回に見る分とのつながりの把握を容易にすることができ、且つ、前回に見た分と今回に見る分との重なり具合をユーザの好みに合わせることができ、且つ、前回見たときからの経過時間が短いときと長いときとの双方において、前回に見た分と今回に見る分とのつながり具合を快適なものとすることができ、且つ、プログラム再生を行っていた場合には、その再生の順序を再現することができる。
【００２５】
また、本発明によれば、取り出されたディスクの磁気記録媒体には、再生終了位置を示すしおり情報が書き込まれている。その結果、このディスクをトレイに載置して再生を指示すると、前回に再生を停止した位置に基づいて再生が行われる。このため、ディスクを交換したとき、再生の指示を入力するのみで、前回の続きを自動で再生させることができる。
【００２６】
また、さらに、通常に広く提供されている光ディスクに、磁気記録媒体であるシートを貼付することで、光ディスクは、しおり情報の書き込みと読み出しとが可能なディスクとなるので、市販の書き換え可能な光ディスクを用いることができる。
【００２７】
また、本発明によれば、取り出されたディスクのしおり情報エリアには、再生終了位置を示すしおり情報が書き込まれている。その結果、このディスクをトレイに載置して再生を指示すると、前回に再生を停止した位置に基づいて再生が行われる。このため、ディスクを交換したとき、再生の指示を入力するのみで、前回の続きを自動で再生させることができる。
【００２８】
また、さらに、前回に再生を停止した位置より前の位置から再生が行われるので、前回に見た分と今回に見る分とのつながりの把握を容易にすることができる。
【００２９】
また、さらに、前回に見た分における最後の部分と今回に見る分における先頭の部分との重なり具合を、ユーザは複数の選択肢から選択することができるので、前回に見た分における最後の部分と今回に見る分における先頭の部分との重なり具合を、ユーザの好みに合わせることができる。
【００３０】
また、さらに、前回に見たときからの経過日数が多くなるほど、前回に見た分における最後の部分と今回に見る分における先頭の部分との重なり具合が長くなるので、前回に見たときからの経過時間が短いときと長いときとの双方において、前回に見た分と今回に見る分とのつながり具合を快適なものとすることができる。
【発明を実施するための最良の形態】
【００３１】
以下、本発明の実施の形態について図を参照して説明する。
【実施例１】
【００３２】
図２は、本発明に係るディスク装置の第１の実施形態に使用されるディスクに設けられた磁気記録媒体を示す説明図である。
【００３３】
図において、磁気記録媒体３１は、ＶＨＳビデオテープ等に塗布されている磁性体と同様の磁性体３３が塗布されたリング状のシート３２となっており、ディスク２１と同心に、ディスク２１に貼付される。
【００３４】
図１は、第１の実施形態の電気的構成を示すブロック線図であり、具体的には、ＤＶＤレコーダを示している。
【００３５】
チューナ部８は、マイクロコンピュータ（以下では、マイコンと称する）２から指示されたチャンネルの商用放送を受信するとともに、受信して得られたアナログ映像音声信号をＡ／Ｄ変換部９に出力する。Ａ／Ｄ変換部９は、チューナ部８から出力されるアナログ映像音声信号をデジタル映像音声信号に変換し、エンコード・デコード部２５に出力する。Ｄ／Ａ変換部７は、エンコード・デコード部２５より出力されるデジタル映像音声信号をアナログ映像音声信号に変換し、外部に設けられたテレビ受像機２９に出力する（ディスク２１がＣＤであるときには、テレビ受像機２９には音声信号のみが出力される）。
【００３６】
ピックアップ２３は、ディスクモータ２２により回転駆動されるディスク２１に記録されたコンテンツを読み取るとともに、読み取りによって得られた信号を録再信号処理部２４に出力する。また、録再信号処理部２４より出力される信号をディスク２１に書き込む。録再信号処理部２４は、エンコード・デコード部２５より出力されるデジタル信号に対して符号化等の処理を行うことにより得られた信号を、ピックアップ２３に出力する。また、ピックアップ２３より出力される信号に対して、復調やエラー訂正、等の処理を行った後、エンコード・デコード部２５に出力する。
【００３７】
エンコード・デコード部２５は、Ａ／Ｄ変換部９から出力された映像音声信号をＭＰＥＧ２に従って圧縮処理する。そして後、圧縮処理した映像音声信号を所定フォーマット（例えば、ＶＲフォーマット等）に基づいて処理し、録再信号処理部２４に出力する。また、録再信号処理部２４より出力される映像音声信号を、所定フォーマットに基づいて処理した後、ＭＰＥＧ２に従って伸長処理する。そして、伸長処理により得られたデジタル映像音声信号をＤ／Ａ変換部７に出力する（ディスク２１がＣＤとなるときには、伸長処理は行わない）。
【００３８】
なお、破線１により示されるブロックは、記録再生位置に収納されたディスク２１にコンテンツを記録するとともに、ディスク２１に記録されたをコンテンツを再生するディスク記録再生手段であるが、再生位置に収納されたディスク２１を再生するディスク再生手段を、その内部に含んだ構成となっている。
【００３９】
入力回路部５は、図示されない装置本体の前面パネルに設けられた電源キー等のキースイッチや、リモートコントローラ（以下では、リモコンと称する）６から送信される赤外線信号を受光する受光ユニット等を備えており、ユーザからの指示が入力されると、入力された指示をマイコン２に出力する。計時手段４は、年、月、日、および、時刻を計時する。
【００４０】
磁気ヘッド１１は、ディスク２１が記録再生位置に収納されたとき（トレイクローズとなったとき）には、ディスク２１に設けられた磁気記録媒体３１に接触する位置まで下降する。そして、磁気記録媒体３１に書き込まれたしおり情報（後に詳述する）を示す信号を読み取って信号処理回路１２に出力する。また、ディスク２１の取り出しのため、トレイの排出方向への移動となるときには、トレイの移動の前に、信号処理回路１２から出力される、しおり情報を示す信号を磁気記録媒体３１に書き込む。
【００４１】
信号処理回路１２は、ヘッド録再制御手段１３から出力される、しおり情報を示すデータから、書き込み用の信号を生成して磁気ヘッド１１に出力する。また、磁気ヘッド１１より出力される信号を、復調、エラー訂正して得られた、しおり情報を示すデータをヘッド録再制御手段１３に出力する。
【００４２】
ヘッド録再制御手段１３（マイコン２の機能の一部でもって構成される）は、ディスク２１が記録再生位置に収納されたとき（トレイクローズとなったとき）、磁気ヘッド１１を下降させることによって、磁気記録媒体３１に書き込まれたしおり情報を示す信号を読み取る。また、ディスク２１の取り出しのためにトレイを排出位置に移動させる場合には、トレイを移動させる前に、磁気ヘッド１１を下降させる。そして、最も直前の再生の停止位置を示す情報（ディスク２１の最新の再生終了位置を示す情報）と、このときの日付を示す情報とからなるしおり情報（プログラム再生の順序が登録されているときには、プログラム再生の順序を示す情報をも含む）を、磁気ヘッド１１を用いて磁気記録媒体３１に書き込む。そして後、ディスク２１の移動に先立って、磁気ヘッド１１を上方に移動させる。
【００４３】
すなわち、磁気ヘッド１１、信号処理回路１２、および、ヘッド録再制御手段１３の３つのブロックは、請求項記載のしおり書読手段３を構成しており、しおり情報を、ディスク２１が取り出される直前に、自動で、磁気記録媒体３１に書き込む（再生を停止して後、ディスク２１の取り出しが行われるまでの間における任意のタイミングにおいて、書き込むこともできる）。また、磁気記録媒体３１に書き込んだしおり情報を読み出す。なお、しおり情報は、詳細には、ディスク２１の最新の再生終了位置を示す情報と、このときの日付を示す情報（プログラム再生の順序が登録されているときには、この順序を示す情報を含む）とによって構成されている。
【００４４】
マイコン２は、ＤＶＤレコーダとしての主要動作を制御する。すなわち、リモコン６等に入力されたユーザの指示に従い、チューナ部８が受信するチャンネルを制御する。また、録再信号処理部２４とエンコード・デコード部２５とを制御することによって、チューナ部８が受信した番組を、所定フォーマットによるコンテンツとしてディスク２１に記録する。また、ディスク２１に記録されたコンテンツを再生して、テレビ受像機２９に表示する。
【００４５】
また、マイコン２は、ディスク２１がＣＤであるときには、プログラム再生の順序の登録の受け付けを行う。また、プログラム再生の順序の登録が行われた場合に、プログラム再生の指示が与えられると、登録された再生の順序に従って、ＣＤの再生を行う。
【００４６】
しおり再生手段１５（マイコン２の機能の一部でもって構成される）は、ディスク２１が交換された後、最初の再生の指示がリモコン６に入力されたときには、ディスク２１の磁気記録媒体３１からしおり書読手段３により読み出されたしおり情報に基づく位置からディスク２１の再生を行う。
【００４７】
なお、しおり情報に基づいた位置、すなわち、ディスク２１が交換された後、最初の再生の指示がリモコン６に入力されたときのディスク２１の再生位置は、しおり情報により示される再生終了位置より前方に変移した前方変移位置となっている。また、前方への変移量には、予め設定された複数の変移量である５分、３分、１分、３０秒、０秒のうちから、ユーザにより選択された値が用いられる。且つ、再生終了位置が取得された日から現在までの経過日数が多くなると、変移量は、ユーザによって選択された値よりも長くなる。
【００４８】
すなわち、ユーザによって選択された変移量が、例えば１分である場合、再生終了位置が取得された日から現在までの日数が、１週間を超える毎に、段階が１段づつ、長い側に変更されるようになっている。つまり、再生終了位置が取得された日から現在までの日数が１週間以内であるときには、しおり情報により示される再生終了位置より１分前の位置から再生が開始されるが、１週間を超えたときには、しおり情報により示される再生終了位置より３分前の位置から再生が開始される。これは、前回見たときから日時が経過するのに対応して、前回に見たときの内容の印象が薄れるので、再生を逆上る時間を長くする方が、今回に再生される映像と、前回に見た映像との続き具合の把握が容易になるからである。
【００４９】
なお、ディスク２１がＣＤとなるときには、再生するトラックの順序をユーザが設定するプログラム再生が可能になっている。このため、ディスク２１がＣＤである場合、しおり書読手段３は、ＣＤ２１の再生終了位置を示す情報、このときの日付を示す情報、および、プログラム再生の順序を示す情報の３つの情報を含むしおり情報を生成して、磁気記録媒体３１に書き込む。従って、この場合では、次回の再生時にも、このときに設定されたプログラム再生を実行することが可能になる。
【００５０】
図３は、しおり情報の書き込み時の第１の実施形態の主要動作を示すフローチャート、図４は、しおり情報に基づいた再生時の第１の実施形態の主要動作を示すフローチャート、図５は、しおり情報に基づいた再生時の第１の実施形態の詳細な動作を示すフローチャートである。必要に応じて同図を参照しつつ、第１の実施形態の動作を説明する。
【００５１】
いま、ディスク２１を再生しており、ディスク２１がＤＶＤであるとする。この状態において、リモコン６等に停止の指示を入力すると、ディスク２１の再生が停止される。しおり再生手段１５は、再生を停止したときの位置を示す情報、すなわち、再生終了位置を示す情報をヘッド録再制御手段１３に与える（ステップＳ１）。ヘッド録再制御手段１３は、計時手段４が計時する日付を読み取る。そして、しおり再生手段１５から与えられた再生終了位置を示す情報と、計時手段４を読み取って得られた日（最終再生日）を示す情報とからなるしおり情報を生成する（ステップＳ２）。
【００５２】
次いで、ディスク記録再生手段１に収納されているディスク２１が、ＤＶＤであるかどうかを調べる。このときでは、ＤＶＤであるため、動作は、ステップＳ３からステップＳ６に移行し、ディスク２１の取り出しであるかどうかを調べる。ディスク２１の取り出しである場合、ヘッド録再制御手段１３は、ディスク２１を所定の速度で回転駆動する（既に回転駆動されている場合では、回転駆動が継続される）（ステップＳ７）。
【００５３】
次いで、ヘッド録再制御手段１３は、図示されない機構部を介して、磁気ヘッド１１を磁気記録媒体３１に接触する位置まで下降させた（ステップＳ８）後、生成したしおり情報を、磁気ヘッド１１を用いて、磁気記録媒体３１に書き込む（ステップＳ９）。次いで、磁気ヘッド１１を上昇させる（ステップＳ１０）。この後、ヘッド録再制御手段１３は、ディスク２１の回転を停止させる制御を行う（ステップＳ１１）。
【００５４】
そして、ステップＳ１１の制御によってディスク２１の回転が停止した後、図示されないトレイを排出位置に移動させる（ステップＳ１２）。従って、ディスク２１を取り出したときでは、取り出されたディスク２１の磁気記録媒体３１には、最新の再生終了位置を示す情報と、このときの日付を示す情報とからなるしおり情報が書き込み済みとなっている。
【００５５】
なお、ディスク２１がＣＤであるときには、ステップＳ３に続く動作は、ステップＳ４の動作となって、しおり書読手段３は、プログラム再生となっていたかどうかを調べる。プログラム再生となっていないときには、動作をステップＳ６に移行する。しかし、プログラム再生となっているときでは、プログラム再生の順序を示す情報をしおり情報に追加する（ステップＳ５）。そして後、動作をステップＳ６に移行する。従って、このときでは、しおり情報には、再生終了位置を示す情報、再生を停止したときの日付を示す情報、およひ、プログラム再生の順序を示す情報とが含まれることになる。
【００５６】
なお、ステップＳ６における判定において、取り出しではなく、その他の指示があった場合では、対応する処理が実行される（ステップＳ１３，Ｓ１４）。
【００５７】
上記した動作によって、磁気記録媒体３１にしおり情報が書き込まれたディスク２１を、取り出した日から、例えば１０日が経過したときにトレイに載置し、記録再生位置に移動させたとする（ステップＳ１５）。ディスク２１が記録再生位置に移動したときには、ディスク２１が回転駆動され、ディスク２１に関するディスク情報の読み取りが行われる（ステップＳ１６）。また、ヘッド録再制御手段１３は、磁気ヘッド１１を磁気記録媒体３１に接触する位置まで下降させた（ステップＳ１７）後、磁気記録媒体３１に書き込まれたしおり情報を読み取る（ステップＳ１８）。次いで、磁気ヘッド１１を上昇させる（ステップＳ１９）。この後、再生の指示が入力されると、動作は、ステップＳ２０からステップＳ２１に移行して、しおり情報に基づいた位置から再生が開始される。
【００５８】
しおり情報に基づいた再生となるときには、しおり再生手段１５は、ディスク２１がＤＶＤであるかどうかを調べる（ステップＳ３１）。このときでは、ＤＶＤであるため、計時手段４を参照することによって、しおり情報が示す日（最終再生日）から現在までの経過日数を算出する（ステップＳ３２）。そして、算出した日数を値７で除し、端数を切り捨てることによって追加指標を求める（このときでは、追加指標の値は１となる）（ステップＳ３３）。また、ユーザによって選択された前方移動の変移量から、変移指標を求める（ステップＳ３４）。
【００５９】
変移指標は、図６に示したように、変移量が０秒では０、３０秒では１、１分では２、３分では３、５分では４となっている。このため、ユーザが選択した変移量が、例えば、１分であるとすると、求められた変移指標は１となる。しおり再生手段１５は、この変移指標に、ステップＳ３３で算出した追加指標を加算した値Ｎを求める（ステップＳ３５）。そして、値Ｎが最大値である値４を超えるときには、値Ｎを４とする。つまり、値Ｎが３以下となるときには、算出された値Ｎをそのままとし、値Ｎが４以上となるときには、値Ｎを４とする（ステップＳ３６，Ｓ３７）。この後、しおり再生手段１５は、値Ｎを変移指標と見なして、対応する変移量を求める（ステップＳ３８）。
【００６０】
以上のことから、ユーザが選択した変移量が１分であり、再生をを停止してＤＶＤ２１取り出したときから１０日が経過している場合、値Ｎは３となる。従って、求められた変移量は３分となる。このため、しおり再生手段１５は、しおり情報が示す再生終了位置より３分だけ前方の位置（前方変移位置）を再生の開始位置として、ディスク２１の再生を開始する（ステップＳ３９，Ｓ４０）。
【００６１】
一方、ディスク２１がＣＤの場合では、ステップＳ３１に続く動作は、ステップＳ４５の動作となり、プログラム再生の順序を示す情報がしおり情報に含まれているかどうかを調べる。プログラム再生の順序を示す情報がしおり情報に含まれていない場合には、しおり情報が示す再生終了位置から、トラックの順序に従ってＣＤ２１の再生を行う（ステップＳ４６）。一方、プログラム再生の順序を示す情報がしおり情報に含まれている場合には、しおり情報が示す再生終了位置から、プログラム再生の順序に従ってＣＤ２１の再生を行う（ステップＳ４７）。
【実施例２】
【００６２】
図７は、第２の実施形態の電気的構成を示すブロック線図であり、具体的には、ＤＶＤレコーダを示している。なお、第２の実施形態と第１の実施形態との差異は、しおり書読手段の構成のみとなっている。このため、図１に示す第１の実施形態と同一となるブロックには、図１における符号と同一符号を付与し、説明を省略する。
【００６３】
本実施形態は、しおり情報を書き込む記録媒体が、記録再生位置に収納された書き換え可能なディスク２１となっている。このため、しおり書読手段１６は、マイコン２の機能の一部を用いることによって構成されており、その他のハードウエアを必要としない構成となっている。
【００６４】
しおり書読手段１６は、書き換え可能なＤＶＤ（ＤＶＤ−ＲＷや ＤＶＤ−ＲＡＭ等）２１におけるデータの書き換えが可能なエリアに確保されたしおり情報エリアに、ＤＶＤ２１が取り出される前に、自動で、しおり情報を書き込む。また、ＤＶＤ２１が交換されたときには、しおり情報エリアに書き込まれたしおり情報を読み出す。
【００６５】
なお、しおり情報は、詳細には、ディスク２１の最新の再生終了位置を示す情報と、このときの日（最終再生日）を示す情報とによって構成されている。すなわち、しおり情報を書き込む対象となるディスク２１は、書き換え可能なＤＶＤに限定されているので、ディスク２１がＣＤとなるときにはしおり情報の書き込みは行われない。従って、しおり情報は、第１の実施形態とは異なり、プログラム再生の順序を示す情報を常に含まない構成となる。
【００６６】
また、しおり情報エリアは、映像や音声等を示すコンテンツが書き込まれたエリアの外周側に隣接して設けられている。且つ、しおり情報は、コンテンツのファイルとは異なるファイルとして、書き込まれるようになっている。
【００６７】
図８は、しおり情報の書き込み時の第２の実施形態の主要動作を示すフローチャート、図９は、しおり情報に基づいた再生時の第２の実施形態の主要動作を示すフローチャートである。なお、第１の実施形態の動作と同一となるステップには、図３〜図５における符号と同一符号を付与し、詳細な説明を省略する。
【００６８】
いま、ＤＶＤ２１を再生しているとする。この状態において再生停止となると、しおり再生手段１５は、再生終了位置を示す情報をしおり書読手段３に与える（ステップＳ１）。しおり書読手段３は、再生終了位置を示す情報と日付を示す情報とからなるしおり情報を生成する（ステップＳ２）。そして、ＤＶＤ２１の取り出しとなるときには、しおり書読手段３は、生成したしおり情報を、しおり情報エリアに書き込む（ステップＳ５０，Ｓ５１）。この後、しおり再生手段１５は、ディスク２１の回転を停止させる制御を行う（ステップＳ５２）。
【００６９】
なお、ステップＳ２の後の動作の指示が、ＤＶＤ２１の取り出しではなく、その他の指示となるときでは、対応する処理が実行される（ステップＳ５３，Ｓ５４）。
【００７０】
しおり情報エリアにしおり情報が書き込まれたＤＶＤ２１を、取り出した日から、例えば１０日が経過したときにトレイに載置し、記録再生位置に移動させたとする（ステップＳ１５）。ディスク２１が記録再生位置に移動したときには、ディスク２１が回転駆動され、ディスク２１に関するディスク情報の読み取りが行われる（ステップＳ１６）。また、しおり書読手段３は、しおり情報エリアに書き込まれたしおり情報を読み取る（ステップＳ５５）。この後、再生の指示が入力されると、動作は、ステップＳ２０からステップＳ２１に移行して、しおり情報に基づいた位置から再生が開始される。
【００７１】
しおり情報に基づいた再生は、第１の実施形態と同一となるので、説明を省略する（なお、再生されるディスク２１は、ＤＶＤに限定されているため、ステップＳ３１の判定の動作は省略されている）。
【００７２】
なお、本発明は上記実施形態に限定されず、磁気記録媒体については、光ディスクの非記録面に磁性体を直接に塗布した構成とすることができる。
【００７３】
また、しおり情報エリアについては、その他の書き換えが可能なエリア（リードインエリア、等）に設けた構成とすることができる。
【００７４】
また、選択肢となる変移量の値、および、その数については、その他の任意の値とすることができる。
【００７５】
また、光ディスクに書き込みが可能なその他の装置（例えば、ハードディスクドライブが一体化されたＤＶＤプレイヤ等）の場合にも、同様に適用することができる。
【図面の簡単な説明】
【００７６】
【図１】本発明に係るディスク装置の第１の実施形態の電気的構成を示すブロック線図である。
【図２】ディスクに設けられた磁気記録媒体を示す説明図である。
【図３】しおり情報の書き込み時の第１の実施形態の主要動作を示すフローチャートである。
【図４】しおり情報に基づいた再生時の第１の実施形態の主要動作を示すフローチャートである。
【図５】しおり情報に基づいた再生時の第１の実施形態の詳細な動作を示すフローチャートである。
【図６】変移量と指標との関係を示す説明図である。
【図７】第２の実施形態の電気的構成を示すブロック線図である。
【図８】しおり情報の書き込み時の第２の実施形態の主要動作を示すフローチャートである。
【図９】しおり情報に基づいた再生時の第２の実施形態の主要動作を示すフローチャートである。
【符号の説明】
【００７７】
１  ディスク記録再生手段（ディスク再生手段）
３  しおり書読手段
１１  磁気ヘッド
１５  しおり再生手段
１６  しおり書読手段
２１  ディスク
３１  磁気記録媒体
３２  リング状のシート
３３  磁性体
【図１】
2006054029.tif 000003
【図２】
2006054029.tif 000004
【図３】
2006054029.tif 000005
【図４】
2006054029.tif 000006
【図５】
2006054029.tif 000007
【図６】
2006054029.tif 000008
【図７】
2006054029.tif 000009
【図８】
2006054029.tif 000010
【図９】
2006054029.tif 000011